(57)【要約】【課題】  上方の生活空間からの荷重を強固且つ安定した状態で支持できる上床を、多くの手間を要することなく簡易に設置することができると共に、生活空間の下方に利便性の良い収納部を容易に設けることのできる床下収納部構造を提供する。【解決手段】  住宅建築物１１の部屋空間１２の内部において、床から１４０ｃｍ以下の内空高さｈとなるように上床１４を設けて上床１４の下方部分に収納部１５を形成する床下収納部構造１０であって、縦板１６ａ，１６ｂ，１６ｂをコの字横断面形状に組み付けてなる少なくとも一対の箱状体１７を、人が通過可能な間隔を保持しつつ開口面１８を対向させた状態で配置することによって構成される床支持部１９と、一対の箱状体１７に跨って、縦板１６ｂ，１６ｂにより下方から支持された状態で設置される上床部材２９とからなる。また箱状体１７の内側には、棚板１８、引出し、又はパイプ部材１９が設けられている【選択図】      図２
2005113639.tif 000002
【特許請求の範囲】
【請求項１】
住宅建築物の部屋空間の内部において、床から１４０ｃｍ以下の内空高さとなるように上床を設けて該上床の下方部分に収納部を形成する床下収納部構造であって、
縦板をコの字横断面形状に組み付けてなる少なくとも一対の箱状体を、人が通過可能な間隔を保持しつつ開口面を対向させた状態で配置することによって構成される床支持部と、前記一対の箱状体に跨って、前記縦板により下方から支持された状態で設置される上床部材とからなる床下収納部構造。
【請求項２】
前記箱状体の内側には、棚板、引出し、又はパイプ部材が前記縦板に支持されて設けられている請求項１記載の床下収納部構造。
【請求項３】
前記開口面を対向させた状態の複数対の箱状体を、前記部屋空間の床の全域又は略全域に配置すると共に、これらの箱状体に支持させて、前記上床部材を部屋空間の全域又は略全域に設置することにより、前記床と前記上床とによって二重床を構成する請求項１又は２に記載の床下収納部構造。
【発明の詳細な説明】
【技術分野】
【０００１】
本発明は、住宅建築物の部屋空間の内部において、床から１４０ｃｍ以下の内空高さとなるように上床を設けて該上床の下方部分に収納部を形成する床下収納部構造に関する。
【背景技術】
【０００２】
近年、住宅建築物内の限られた部屋空間を有効に活用するために、部屋空間の下方部分を通常の生活空間とすると共に、生活空間の上方の天井に至るまでの部分をロフトとして使用する間取りが種々採用されている。ロフトは、部屋空間における例えば床面から２１０ｃｍ以上の内空高さの生活空間として使用される領域の上方において、例えば１４０ｃｍ以下の内空高さを有していることにより、建築基準法上の床面積に算入されることなく、簡易な就寝スペースや収納スペースとして使用されることになる。
【０００３】
一方、ロフトは、これの下方に生活空間のための高さを確保した状態で、床面よりも上方に支持させておく必要があるが、支持梁等の専用の支持構造を設けると却って不経済になることから、ロフトを効率良く支持するための簡易な支持構造が種々提案されている（例えば、特許文献１、特許文献２参照）。
【０００４】
またロフトは、相当の高さを占める生活空間の上方に設けられるものであり、簡易な就寝スペースや収納スペースとして使用する場合には、床面から階段や梯子等を介して昇降するのが煩わしいことから、新たな提案として、ロフトに代わる床面積に算入されない簡易なスペースを、部屋空間の内部において、例えば収納部として生活空間よりも下方に設けることが考えられる。
【特許文献１】特開平６−９３７４１号公報
【特許文献２】特許第２９５９７１５号公報
【発明の開示】
【発明が解決しようとする課題】
【０００５】
しかしながら、ロフトに変わる簡易なスペースを収納部として生活空間よりも下方に設ける場合、当該生活空間においては、居住者等が頻繁に動き回りながら生活することから、例えば下方の収納部を生活空間から区画するために設ける上床を、部屋空間の床面から強固且つ安定した状態で支持する必要がある。またこのような上床は、限られた部屋空間の内部において、例えば床梁等を別途設けるといった改造を加えることなく、当該部屋空間の周囲の構造を保持したまま多くの手間をかけずに簡易に設けられるようにして、上床の設置や撤去による部屋空間の模様替え等を容易に行えるようにすることが望ましい。
【０００６】
本発明は、このような従来の課題に着目してなされたもので、上方の生活空間からの荷重を強固且つ安定した状態で支持できる上床を、多くの手間を要することなく簡易に設置することができると共に、生活空間の下方に利便性の良い収納部を容易に設けることのできる床下収納部構造を提供することを目的とする。
【課題を解決するための手段】
【０００７】
本発明は、住宅建築物の部屋空間の内部において、床から１４０ｃｍ以下の内空高さとなるように上床を設けて該上床の下方部分に収納部を形成する床下収納部構造であって、縦板をコの字横断面形状に組み付けてなる少なくとも一対の箱状体を、人が通過可能な間隔を保持しつつ開口面を対向させた状態で配置することによって構成される床支持部と、前記一対の箱状体に跨って、前記縦板により下方から支持された状態で設置される上床部材とからなる床下収納部構造を提供することにより、上記目的を達成したものである。
【０００８】
また、本発明の床下収納部構造は、前記箱状体の内側には、棚板、引出し、又はパイプ部材が前記縦板に支持されて設けられていることが好ましい。
【０００９】
さらに、本発明の床下収納部構造は、前記開口面を対向させた状態の複数対の箱状体を、前記部屋空間の床の全域又は略全域に配置すると共に、これらの箱状体に支持させて、前記上床部材を部屋空間の全域又は略全域に設置することにより、前記床と前記上床とによって二重床を構成するようにすることが好ましい。
【００１０】
なお、上記記載における「内空高さ」は、部屋空間の床から、上床を構成する上床部材の下面における最も高い部分までの高さを意味するものである。
【発明の効果】
【００１１】
本発明の床下収納部構造によれば、上方の生活空間からの荷重を強固且つ安定した状態で支持できる上床を、多くの手間を要することなく簡易に設置することができると共に、生活空間の下方に利便性の良い収納部を容易に設けることができる。
【発明を実施するための最良の形態】
【００１２】
本発明の好ましい第１実施形態に係る床下収納部構造１０は、図１に示すように、例えば複数階の住宅建築物１１の最上階に位置する部屋空間１２の内部において、床１３から１４０ｃｍ以下の内空高さｈ（図２（ａ）参照）となるように上床１４を設けてこの上床１４の下方部分に収納部１５を形成するための構造であって、図２（ａ）〜（ｃ）に示すように、縦板１６ａ，１６ｂ，１６ｂをコの字横断面形状に組み付けてなる少なくとも一対の箱状体１７を、人が通過可能な間隔を保持しつつ開口面１８を対向させた状態で配置することによって構成される床支持部１９と、これらの一対の箱状体１７に跨って、縦板１６ｂ，１６ｂにより下方から支持された状態で設置される上床部材２０とからなっている。
【００１３】
そして、本第１実施形態によれば、図３〜図５に示すように、一対の箱状体１７の間隔部分を通路部２１として連通させた状態で（図３参照）、箱状体１７を奥行き方向に３対並べて配置すると共に（図４参照）、これによって連続することになる３枚の上床部材２０による上床１４を覆うようにして、例えばタイルカーペット２２が敷設されることになる。
【００１４】
また、本第１実施形態によれば、３対の箱状体１７による床支持部１９の外側面を覆って、外装板２３が取り付けられており、これによって、連接配置される箱状体１７の継目２４ａや、箱状体１７と上床部材２０との継目２４ｂ等が覆い隠されるようになっていると共に（図３，図５参照）、壁２５と接していない側の上床１４の短辺縁部と長辺縁部とに沿って、手摺支持枠２６が設けられており、この手摺支持枠２６に支持させて、落下防止用の手摺部材２７が取り付けられている。
【００１５】
さらに、本第１実施形態によれば、床下収納部構造１０を構成する各箱状体１７の内側には、図２（ａ），（ｂ）に示すように、棚板２８、引出し（図示せず。）、又は衣類等を吊り下げるためのパイプ部材２９が、例えば縦板１６ｂ，１６ｂに支持されて所望の高さに各々設けられている。
【００１６】
さらにまた、本第１実施形態によれば、図３〜図４に示すように、床下収納部構造１０の壁２５と接していない側の長辺部に隣接して、当該床下収納部構造１０の上方を生活空間として利用するべく居住者が昇降するための階段３０が設けられている。
【００１７】
そして、床下収納部構造１０の床支持部１９を構成する各箱状体１７は、図２（ａ），（ｂ）に示すように、開口面１８と反対側に配置される一枚の縦板１６ａと、これの両側に垂直に配置される両側部の２枚の縦板１６ｂ，１６ｂとを、コの字横断面形状に接合一体化してなるものである。各縦板１６ａ，１６ｂ，１６ｂは、例えば厚さが３０〜４５ｍｍ程度の合板やフラッシュ構造等からなり、一枚の縦板１６ａは、例えば縦１２００〜１４００ｍｍ、横７５０〜９００ｍｍ程度の大きさの縦長矩形形状を有している。また両側部の縦板１６ｂ，１６ｂは、例えば縦１２００〜１３００ｍｍ、横３００〜６００ｍｍ程度の大きさの縦長矩形形状を有している。そして、縦板１６ａと縦板１６ｂ，１６ｂとは、例えばビス、接着材、止め金具等を用いて互いに垂直に接合されて、強固なコの字横断面形状を形成していると共に、その底部及び上部には、同様の合板やフラッシュ構造等からなる底板３１や上板３２が嵌め込まれるようにして取り付けられており、これによってコの字横断面形状の箱状体１７が効果的に補強されることになる。
【００１８】
また、各箱状体１７の内側には、底板３１と上板３２との間の中間部分に、整理棚として用いるための棚板２８や、吊り戸棚として用いるためのパイプ部材２９、或いは引出し等が、使用に適した所定の高さ位置に設けられており、これによって床下収納部構造１０の収納スペースとしての利便性をさらに向上させている。
【００１９】
なお、本第１実施形態によれば、開口面１８と反対側に配置される縦板１６ａは、両側部の縦板１６ｂ，１６ｂよりも例えば１００〜１５０ｍｍ程度高く設けられており（図２（ａ）参照）、対向配置された一対の箱状体１７における、上板３２から上方に突出する縦板１６ａの上端部分の間に、後述する上床部材２０が嵌め込まれるようにして設置されることにより、上床部材２０の上面と、縦板１６ａの上端面とが同じ高さに配設されるようになっている。
【００２０】
箱状体１７と共に床下収納部構造１０を構成する上床部材２０は、縦板１６と同様の例えば厚さが２０〜３０ｍｍ程度の合板やフラッシュ構造等を用いて形成される、例えば長さ１６００〜１８００ｍｍ、幅７５０〜９００ｍｍ程度の大きさの矩形平面形状を有する床面板３３と、長さ１６００〜１８００ｍｍ、高さ１００〜１５０ｍｍ程度の大きさの一対の側面ツバ板３４とからなる。すなわち、床面板３３の長手方向の両側縁部に沿って、一対の側面ツバ板３４を、各々床面板３３の下面に例えばビス、接着材、止め金具等を介して接合一体化することにより、平たいコの字断面形状の上床部材２０が形成されることになる。
【００２１】
そして、本第１実施形態によれば、床下収納部構造１０は、部屋空間１２の周囲の構造を保持したまま、多くの手間をかけずに簡易に設置することができる。すなわち、例えば部屋空間１２の床１３の角部分において、一対の箱状体１７の開口面１８を所定の間隔をおいて対向配置すると共に、箱状体１７の両側部の縦板１６ｂ，１６ｂの上端に側面ツバ板３４を載置して当該縦板１６ｂ，１６ｂに支持させつつ、上床部材２０を嵌め込むようにして取り付ける作業を、連接配置される３対の箱状体１７に対して繰り返すことにより、下方部分が収納部１５となった、連続する３枚の上床部材２０による上床１４が容易に形成されることになる。なお、各箱状体１７は、例えばアングル等の止め金具を介して、部屋空間１２の床１３に、取外し可能な状態で強固に固定することができる。
【００２２】
しかる後に、上床１４を覆ってタイルカーペット２２を敷設すると共に、箱状体１７による床支持部１９の外側面を覆って外装板２３を取り付け、さらに手摺支持枠２６や手摺部材２７を取り付けて、本第１実施形態の床下収納部構造１０が設置されることになる。また、このようにして設置された床下収納部構造１０は、例えば上述と反対の作業手順に従って、部屋空間１２の周囲の構造を保持したまま、容易に撤去することができる。、
【００２３】
さらに、本第１実施形態によれば、床下収納部構造１０に隣接して設けられる階段３０は、天端部に踏板部材３５ａ，３５ｂ，３５ｃ，３５ｄ，３５ｅが各々取り付けられた、高さの異なる例えば５体の収納ボックス３６ａ，３６ｂ，３６ｃ，３６ｄ，３６ｅを、天端部の踏板部材３５ａ，３５ｂ，３５ｃ，３５ｄ，３５ｅが階段状に配設されるよう順次並べて配置すると共に、これらを一体化することにより構成されている。これによって、階段３０が設けられる領域もまた、収納用のスペースとして有効に活用できるようになっている。
【００２４】
そして、本第１実施形態の床下収納部構造１０によれば、上床１４の上方の生活空間からの荷重を強固且つ安定した状態で支持できると共に、利便性の良い収納部１５を生活空間の下方に容易に設けることができる。すなわち、本第１実施形態によれば、上床部材２０による上床１４を支持するための床支持部１９が、縦板１６ａ，１６ｂ，１６ｂをコの字横断面形状に組み付けた各一対の箱状体１７を対向配置することによって構成されているので、各箱状体１７のコの字横断面形状による大きな断面剛性によって、上床１４を下方から強固且つ安定した状態で支持することが可能になる。また通路部２１を挟んで両側に配置される箱状体１７は、開口面１８を通路部２１側にして対向配置されるので、箱状体１７の内側を、通路部２１からスムーズに出し入れ可能な整理棚や吊り戸棚等とすることができると共に、箱状体１７によって整然と区画された利便性の良い収納スペースとして、効率良く収納物を収納することが可能になる。
【００２５】
図６は、本発明の第２実施形態に係る床下収納部構造５０を示すものであり、本第２実施形態によれば、例えば２階建ての住宅建築物１１の２階フロアに、階段部分等を除いた略全域を一つの部屋空間５２として、上述と同様に開口面１８を対向配置した一対の箱状体１７を、複数対、縦横に並べて配置することにより、当該複数対の箱状体１７を、部屋空間５２の床５３の略全域に亘って設けたものである。また、これらの複数対の箱状体１７に各々支持させて上床部材２０を設置することにより、これらの上床部材２０が連続して部屋空間５２の略全域に設置される上床５４が設けられると共に、この上床５４と部屋空間５２の床５３とによって二重床を構成するようにし、且つ上床５４の上面を覆って例えばタイルカーペット５５を敷設したものである。ここで、本第２実施形態によれば、２階の部屋部分５２は、床５３から天井５６までの高さが、上床５４を設置した後もこれの上方に例えば２１０ｃｍ以上の内空高さの生活空間を確保し得る高さで予め形成されている。
【００２６】
そして、本第２実施形態の床下収納部構造５０によっても、上床５４を構成する各上床部材２０を、一対のコの字横断面形状の箱状体１７からなる床支持部１９により支持することによって、上記第１実施形態の床下収納部構造５０と同様に、上方の生活空間からの荷重を強固且つ安定した状態で支持できる上床５４を、多くの手間を要することなく簡易に設置することができると共に、生活空間の下方に利便性の良い収納部５６を容易に設けることができるという作用効果が得られることになる。
【００２７】
なお、本発明は上記各実施形態に限定されることなく種々の変更が可能である。例えば、本発明の床下収納部構造は、３対又は複数対の箱状体により支持させて上床を構成する上床部材を設置する必要は必ずしもなく、一対のみの箱状体により上床部材を支持させて上床を設けるようにすることもできる。また、コの字横断面形状の箱状体は、底板や上板、棚板等を設置することなく３枚の縦板のみによって形成することもできる。さらに、上床を覆うタイルカーペットや、外装板、手摺支持枠、手摺部材、パイプ部材、階段等を設ける必要は必ずしもない。
【図面の簡単な説明】
【００２８】
【図１】本発明の第１実施形態に係る床下収納部構造が設けられた住宅の一例を示す略示断面図である。
【図２】（ａ）は本発明の第１実施形態に係る床下収納部構造の基本的な構成を示す断面図、（ｂ）は一対の箱状体を間隔をおいて対向配置した状態を示す上面図、（ｃ）は上床部材の上面図である。
【図３】本発明の第１実施形態に係る床下収納部構造の正面図である。
【図４】本発明の第１実施形態に係る床下収納部構造の上面図である。
【図５】本発明の第１実施形態に係る床下収納部構造の側面図である。
【図６】本発明の第２実施形態に係る床下収納部構造が設けられた住宅の一例を示す略示断面図である。
【符号の説明】
【００２９】
１０，５０  床下収納部構造
１１，５１  住宅建築物
１２，５２  部屋空間
１３，５３  床
１４，５４  上床
１５  収納部
１６ａ，１６ｂ  縦板
１７  箱状体
１８  開口面
１９  床支持部
２０  上床部材
２１  通路部
２２  タイルカーペット
２３  外装板
２６  手摺支持枠
２７  手摺部材
２８  棚板
２９  パイプ部材
３０  階段
３１  底板
３２  上板
３３  床面板
３４  側面ツバ板
ｈ    内空高さ
【図１】
2005113639.tif 000003
【図２】
2005113639.tif 000004
【図３】
2005113639.tif 000005
【図４】
2005113639.tif 000006
【図５】
2005113639.tif 000007
【図６】
2005113639.tif 000008